(57)【要約】      （修正有）【課題】不陸が存在する地平面上に設置した場合でも美観を損ねることなく確実に音漏れを防止することができる防音パネル及び防音壁を提供する。【解決手段】パネル本体１の下面１１に設けられた可とう性の不陸調整材２が、防音パネル１０の重量によって不陸による凹凸に追随して変形することで音漏れを防止できるが、不陸調整材の突出部２１がパネル本体１の厚み方向に間隔Ｋをおいて複数枚突出されていることで、該間隔Ｋによって不陸調整材２が変形できる余地が大きくなり、不陸による凹凸に追随しやすくなることで確実に音漏れの発生を防止することができる。また不陸調整材２はパネル本体１の下面１１に設けられていることで、設置時にパネル本体１によって隠されることで、美観を損ねる恐れを小さくできる。【選択図】        図１
2007063833.tif 000002
【特許請求の範囲】
【請求項１】
パネル本体の下端部の全範囲に亘って可とう性を有する不陸調整材が設けられた防音パネルであって、前記不陸調整材は前記パネル本体の下面に厚み方向に間隔をおいて突出部が複数枚突出されて設けられているものであることを特徴とする防音パネル。
【請求項２】
前記不陸調整材は、断面が連続した管状の形状となされていることを特徴とする請求項１に記載の防音パネル。
【請求項３】
支柱間に防音パネルを取り付けられて形成されたものであって、少なくとも地平面上に配置される防音パネルが、パネル本体の下端部の全範囲に亘って可とう性を有する不陸調整材が設けられ、前記不陸調整材は前記パネル本体の下面に厚み方向に間隔をおいて突出部が複数枚突出されて設けられているものであることを特徴とする防音壁。
【発明の詳細な説明】
【技術分野】
【０００１】
本発明は、道路や鉄道の側縁等に設置され、車両等の走行に伴う騒音を防音する防音パネル及び防音壁に関するものである。
【背景技術】
【０００２】
防音パネルは、言うまでもなく騒音の伝播を防止するものであり、防音パネル間や防音パネルと地平の間に隙間が開いていると、音漏れが起こって防音性が著しく損なわれる。防音パネル間については嵌合構造とする等により比較的容易に音漏れを防止することができるが、防音パネルと路面や壁高欄などの地平との間については、これらの地平が既設構造物であることから防音パネルと嵌合構造とすることは殆ど不可能であり、また路面や壁高欄等では不陸の発生が避けられないことから、隙間が開く恐れが極めて高いものとなる。
【０００３】
かかる隙間への対策として、例えば本出願人によって、防音パネルの下端部にほぼ全範囲に亘って可とう性を有するシート材を取着することで、防音パネルと壁高欄との間に生じる隙間を閉塞できるようにしたシート付き防音パネルが開示されている（例えば特許文献１）。
【０００４】
【特許文献１】特開２００１−３２９６３２号公報
【発明の開示】
【発明が解決しようとする課題】
【０００５】
しかしながら、とりわけ地平が路面である場合には、不陸の範囲が大きい箇所では３０ｍｍに達する場合があり、また細かい凹凸が存在することから、地平面に対する追随が円滑に行われないと、十分に隙間を塞いで音漏れを防止することができにくくなる。また隙間を閉塞するシートが防音パネルの外側にはみ出すと美観が損なわれる恐れがあった。
【０００６】
本発明は上記の如き課題に鑑みてなされたものであり、不陸が存在する地平面上に設置した場合でも美観を損ねることなく確実に音漏れを防止することができる防音パネル及び防音壁を提供せんとするものである。
【課題を解決するための手段】
【０００７】
上記目的を達成するため、本発明は以下のような構成としている。すなわち、本発明に係わる防音パネルは、パネル本体の下端部の全範囲に亘って可とう性を有する不陸調整材が設けられた防音パネルであって、前記不陸調整材は前記パネル本体の下面に厚み方向に間隔をおいて突出部が複数枚突出されて設けられているものであることを特徴とするものである。
【０００８】
本発明に係わる防音パネルによれば、パネル本体の下面に設けられた可とう性の不陸調整材が防音パネルの重量によって不陸による凹凸に追随して変形することで音漏れを防止できるが、不陸調整材の突出部がパネル本体の厚み方向に間隔をおいて複数枚突出されていることで、該間隔によって不陸調整材が変形できる余地が大きくなり、不陸による凹凸に追随しやすくなることで確実に音漏れの発生を防止することができる。また不陸調整材はパネル本体の下面に設けられていることで、設置時にパネル本体によって隠されることで、美観を損ねる恐れを小さくできる。
【０００９】
また前記不陸調整材は、断面が連続した管状の形状となされていれば、パネル本体への取り付けが容易なものとなり、且つ不陸調整材の変形が一定の範囲内に抑えられ、パネル本体からのはみ出し等を容易に防ぐことができ好ましい。
【００１０】
また本発明に係わる防音壁は、支柱間に防音パネルを取り付けられて形成されたものであって、少なくとも地平面上に配置される防音パネルが、パネル本体の下端部の全範囲に亘って可とう性を有する不陸調整材が設けられ、前記不陸調整材は前記パネル本体の下面に厚み方向に間隔をおいて突出部が複数枚突出されて設けられているものであることを特徴とするものである。
【００１１】
本発明に係わる防音壁によれば、少なくとも地平面上に配置される防音パネルにおいて、パネル本体の下面に設けられた可とう性の不陸調整材が防音パネルの重量によって不陸調整材が不陸による凹凸に追随して変形することで音漏れの発生を防止でき、また不陸調整材の突出部がパネル本体の厚み方向に間隔をおいて複数枚突出されていることで、該間隔によって不陸調整材が変形できる余地が大きくなり、不陸による凹凸に追随しやすくなることで確実に音漏れの発生を防止することができる。また防音パネルに設けられた不陸調整材がパネル本体の下面に設けられていることで、不陸調整材は設置時にパネル本体によって隠され、美観を損ねる恐れを小さくできる。
【発明の効果】
【００１２】
本発明に係わる防音パネルによれば、パネル本体の下面に設けられた可とう性の不陸調整材が防音パネルの重量によって不陸による凹凸に追随して変形することで音漏れを防止できるが、不陸調整材の突出部がパネル本体の厚み方向に間隔をおいて複数枚突出されていることで、該間隔によって不陸調整材が変形できる余地が大きくなり、不陸による凹凸に追随しやすくなることで確実に音漏れの発生を防止することができる。また不陸調整材はパネル本体の下面に設けられていることで、設置時にパネル本体によって隠されることで、美観を損ねる恐れを小さくできる。
【００１３】
また本発明に係わる防音壁によれば、少なくとも地平面上に配置される防音パネルにおいて、パネル本体の下面に設けられた可とう性の不陸調整材が防音パネルの重量によって不陸調整材が不陸による凹凸に追随して変形することで音漏れの発生を防止でき、また不陸調整材の突出部がパネル本体の厚み方向に間隔をおいて複数枚突出されていることで、該間隔によって不陸調整材が変形できる余地が大きくなり、不陸による凹凸に追随しやすくなることで確実に音漏れの発生を防止することができる。また防音パネルに設けられた不陸調整材がパネル本体の下面に設けられていることで、不陸調整材は設置時にパネル本体によって隠され、美観を損ねる恐れを小さくできる。
【発明を実施するための最良の形態】
【００１４】
本発明に係わる最良の実施の形態について、図面に基づき以下に具体的に説明する。
【００１５】
図１は、本発明に係わる防音パネルの、実施の一形態を示すもので、（ａ）は全体を示す斜視図、（ｂ）は不陸調整材の詳細を示す（ａ）のＡ−Ａ断面図である。まず（ａ）において、パネル本体１は正面がパンチング板となされ吸音材が内包されて吸音性と遮音性とが具備されたもので、パネル本体１の下面には不陸調整材２が、左右両端には支柱への取り付けを行う断面コ字状の取付部３が設けられ、取付部３にはボルト孔３１が開けられている。尚、不陸調整材２はパネル本体１の下端部のほぼ全範囲に亘って取り付けられている。
【００１６】
次に（ｂ）において、不陸調整材２はパネル本体１の下面１１の中央付近に取り付けられ、下面から二枚の突出部２１が間隔Ｋを開けて突出されると共に、断面が連続した管状の形状となされたものである。不陸調整材２の上下方向の高さｈは、路面の不陸としてほぼ最大値とされている約３０ｍｍとなされている。不陸調整材２は可とう性の合成樹脂材料から形成され、地平面上に設置された際に、上方からのパネル本体１の自重により押しつぶされて、地平面に追随するようになされたものである。
【００１７】
図２は、本発明に係わる防音壁を示すもので、形成の状態を示す説明図である。ここで防音壁は歩道と車道の境界部分に設置される低層防音壁である。防音パネル１０は図１に示したものと同様のものであり、まず（ａ）において、支柱２０には予め左右に取付金具２０１が突設され、取付金具２０１にはボルト孔２０２が開けられている。支柱２０に対して防音パネル１０は、断面コ字状となされた取付部３内に支柱２０が摺動されるように上方から支柱２０間に差し込まれる。次に（ｂ）において、ボルト孔３１とボルト孔２０２にボルトＢが挿入されてボルト止めされることで、防音パネル１０が支柱２０に固定される。ここで取付部３は、支柱２０への取り付けが行われると共に、防音パネル１０と支柱２０との間の音漏れを防止するようになされている。ボルトＢによるボルト止め後、防音パネル１０や支柱２０の上端部分には適宜支柱キャップや笠木等を取り付けてもよい。
【００１８】
図３は、防音パネル１０が支柱２０に取り付けられた際の、地平面上における不陸調整材２の状態を示す断面図であるが、パネル本体１の下面１１と地平面Ｇとの間の隙間Ｓが比較的大きい場合には（ａ）に示す如く不陸調整材２は上下方向に若干押しつぶされて突出部２１が残った状態で地平面Ｇに追随する。逆にパネル本体１の下面と地平面Ｇとの隙間Ｓがほとんどないような場合には、（ｂ）に示す如く不陸調整材２は突出部２１がなくなる状態まで押しつぶされる。不陸調整材２が、間隔Ｋをおいた二枚の突出部２１を備えていることで変形可能な余地が大きくなり、隙間Ｓがほとんどないような場合でも地平面Ｇに円滑に追随することができる。
【００１９】
ここで、パネル本体１の厚みＷ１より、不陸調整材２がパネル本体１の自重によって押しつぶされた状態での厚み方向の寸法Ｗ２が小さくなされていることで、不陸調整材２がパネル本体１の下面に取り付けられることによりパネル本体１によって不陸調整材２を隠すことができ、防音パネル１０の設置時の美観が不陸調整材２によって損ねられる恐れが小さくなされている。
【００２０】
図４は、不陸調整材２の、他の実施形態を示す断面図である。（ａ）は複数枚の突出部２１が別部材によって下面１１に取り付けられているもので、不陸調整材２の取り付け時に突出部２１の間隔を任意に設定することができる。（ｂ）は、二枚の突出部２１が一体の不陸調整材２によって間隔Ｋをおいて下面１１から下方に突出されたもので、一方の突出部２１が追随できないような不陸による凹凸が地平面にあっても他方の突出部２１によりカバーすることが期待でき、音漏れ防止の確実性を高めることに繋がる。また更に（ｃ）のように突出部２１を三枚としたり、それ以上の枚数としたりしてもよい。
【００２１】
また不陸調整材２を管状の形状としたものとしては、（ｄ）のように断面半円形として不陸調整材２の下端付近が変形しやすくなるようにしてもよく、（ｅ）のように突起部２１を三枚設けることで中空部分を突起部２１により分割し、不陸調整材２の形状を保持するように図ってもよく、更には（ｄ）と（ｅ）を併せて、突起部２１を三枚設けて分割された中空部分の下端を各々断面半円形として、変形し易い下端付近を二箇所設けるようにしてもよい。
【００２２】
パネル本体１は、防音パネルであれば特に限定されるものではなく、吸音性や遮音性を備えるものを適宜用いることができ、また枠体の内側に透光板を嵌め込む等して透光性を備えたものを用いてもよい。
【００２３】
不陸調整材２の形成に用いる材料としては、可とう性の材料で、通孔等がなく音の伝播を防止できるものであれば特に限定されるものではないが、雨水等の水分に曝される恐れが高いことから耐水性の高い合成樹脂材料を用いて形成するのが好ましく、ネオプレン、ブタジエンアクリロニトリルゴム、クロロプレン重合体、ブチルゴム、エチレンプロピレンターポリマー、ウレタン樹脂、ポリイソブチレン樹脂、ポリエチレン樹脂、エチレン酢酸ビニル共重合体、シリコン樹脂、軟質及び硬質塩化ビニル樹脂、スチレン−ブタジエン系やポリオレフィン系、ポリエステル系、ポリ塩化ビニル系、ポリウレタン系、ポリアミド系等のエラストマーなどの各種合成ゴムや合成樹脂等からなる弾性材を好適に用いることができ、またそれらを発泡させたものを用いて、更に変形しやすくしておいてもよい。
【図面の簡単な説明】
【００２４】
【図１】本発明に係わる防音パネルの、実施の一形態を示す説明図である。
【図２】本発明に係わる防音壁の、実施の一形態における形成の状態を示す説明図である。
【図３】本発明に係わる防音パネルの、設置時における不陸調整材の状態を示す断面図である。
【図４】不陸調整材の、他の実施形態を示す断面図である。
【符号の説明】
【００２５】
１    パネル本体
２    不陸調整材
２１  突出部
１０  防音パネル
２０  支柱
【図１】
2007063833.tif 000003
【図２】
2007063833.tif 000004
【図３】
2007063833.tif 000005
【図４】
2007063833.tif 000006